(57)【要約】【課題】  平面型表示装置本体の前面をすっきりさせるとともに利用者が不便を感じない平面型表示装置等を提供する。【解決手段】  外部機器と接続される外部入出力端子１５を具備する平面型表示装置本体１１と、当該平面型表示装置本体１１を載置する置き台２０と、を備える平面型表示装置で１０あって、前記置き台２０は、前記外部入出力端子１５と前記外部機器との接続を中継する中継端子２３、２４を備えている。【選択図】  図３
2006227302.tif 000002
【特許請求の範囲】
【請求項１】
外部機器と接続される外部入出力端子を具備する平面型表示装置本体と、当該平面型表示装置本体を載置する置き台と、を備える平面型表示装置であって、
前記置き台は、
前記外部入出力端子と前記外部機器との接続を中継する中継端子を備えていることを特徴とする平面型表示装置。
【請求項２】
外部機器と接続される外部入出力端子を具備する平面型表示装置本体と、当該平面型表示装置本体を載置する置き台と、を備える平面型表示装置であって、
前記置き台は、
前記外部入出力端子と電気的に接続される第１の端子と、当該第１の端子と電気的に接続されており、且つ前記外部機器に接続される第２の端子と、を備えていることを特徴とする平面型表示装置。
【請求項３】
前記置き台は、
基台と、
当該基台上に平面型表示装置が載置される載置台と、を備え、
前記第１の端子は前記基台の背面に設けられ、前記第２の端子は前記基台の前面に設けられていることを特徴とする請求項２に記載の平面型表示装置。
【請求項４】
前記外部入出力端子と前記第１の端子とは、導線ケーブルによって接続されることを特徴とする請求項２に記載の平面型表示装置。
【請求項５】
前記外部入出力端子は、前記平面型表示装置本体の前記置き台に載置される面上に形成され、前記第２の端子は、前記置き台の前記平面型表示装置本体が載置される面上に形成され、当該外部入出力端子と当該第２の端子は、前記平面型表示装置本体が前記置き台に載置された際に電気的に接続されることを特徴とする請求項２に記載の平面型表示装置
【請求項６】
外部機器と接続される外部入出力端子を具備する平面型表示装置本体を載置する置き台であって、
前記置き台は、
前記外部入出力端子と前記外部機器との接続を中継する中継端子を備えていることを特徴とする置き台。
【請求項７】
外部機器と接続される外部入出力端子を具備する平面型表示装置本体と、当該平面型表示装置本体を壁に取り付ける取付治具と、を備える平面型表示装置であって、
前記取付治具は、
前記外部入出力端子と前記外部機器との接続を中継する中継端子を備えていることを特徴とする平面型表示装置。
【請求項８】
外部機器と接続される外部入出力端子を具備する平面型表示装置本体を壁に取り付ける取付治具であって、
前記取付治具は、
前記外部入出力端子と前記外部機器との接続を中継する中継端子を備えていることを特徴とする取付治具。
【発明の詳細な説明】
【技術分野】
【０００１】
本願は、電気的端子を備えている平面型表示装置等に関する。
【背景技術】
【０００２】
通常、ＰＤＰ（plasma display panel）などの表示パネルからなる平面型表示装置本体は、前面および背面にゲーム、カムコーダなどの外部機器を接続するための入出力端子をそれ自体に備えている。利用者は、平面型表示装置本体の前面に備えられている入出力端子により平面型表示装置本体の裏側に回らずに外部機器の接続が可能となっている。
【０００３】
また、平面型表示装置本体は軽量、且つ薄型であるため、壁に掛けて使用することも可能である。
【０００４】
一方、平面型表示装置本体は、薄型であるため、自立して載置できず、必ず当該平面型表示装置本体を載置するための置き台が必要である。ここで従来の当該置き台は、単なる平面型表示装置本体を載置するために使用される置き台としての機能しかもっていない。
【発明の開示】
【発明が解決しようとする課題】
【０００５】
しかし、前面をすっきりさせるデザインが要求される平面型表示装置本体にとってはこれら入出力端子を備えるためのスペースが必要となり、デメリットとなっている。
【０００６】
また、外部機器を接続するための入出力端子が前面に備えられていないと平面型表示装置本体の裏側に回って接続をしなければならず利用者にとっては不便である。
【０００７】
さらに、入出力端子が前面に備えられていない平面型表示装置本体を壁に掛けて使用する場合には、取付治具を介して当該平面型表示装置本体が壁に取り付けられてしまうため、一端、当該平面型表示装置を壁に取り付けてしまうと、背面に備えられている外部機器を接続するための入出力端子が使用できなくなり不便である。
【０００８】
本願が解決しようとする課題には、上記した問題が一例として挙げられる。
【０００９】
そこで、本願は、平面型表示装置本体の前面をすっきりさせるとともに利用者が不便を感じない平面型表示装置等を提供することを目的の一例とする。
【課題を解決するための手段】
【００１０】
上記課題を解決するために、請求項１に記載の平面型表示装置は、外部機器と接続される外部入出力端子（１５）を具備する平面型表示装置本体（１１）と、当該平面型表示装置本体を載置する置き台（２０）と、を備える平面型表示装置（１０）であって、前記置き台は、前記外部入出力端子と前記外部機器との接続を中継する中継端子（２３、２４）を備えていることを特徴とする。
【００１１】
請求項２に記載の平面型表示装置は、外部機器と接続される外部入出力端子を具備する平面型表示装置本体と、当該平面型表示装置本体を載置する置き台と、を備える平面型表示装置であって、前記置き台は、前記外部入出力端子と電気的に接続される第１の端子（２３）と、当該第１の端子と電気的に接続されており、且つ前記外部機器に接続される第２の端子（２４）と、を備えていることを特徴とする。
【００１２】
請求項６に記載の置き台は、外部機器と接続される外部入出力端子を具備する平面型表示装置本体を載置する置き台であって、前記置き台は、前記外部入出力端子と前記外部機器との接続を中継する中継端子を備えていることを特徴とする。
【００１３】
請求項７に記載の平面型表示装置は、外部機器と接続される外部入出力端子を具備する平面型表示装置本体と、前記平面型表示装置本体を壁に取り付ける取付治具と、を備える平面型表示装置（１０Ｂ）であって、前記取付治具は、前記外部入出力端子と前記外部機器との接続を中継する中継端子（３８、３９）を備えていることを特徴とする。
【００１４】
請求項８に記載の平面型表示装置の取付治具は、外部機器と接続される外部入出力端子を具備する平面型表示装置本体を壁に取り付ける取付治具であって、前記外部入出力端子と前記外部機器との接続を中継する中継端子を備えていることを特徴とする。
【発明を実施するための最良の形態】
【００１５】
以下、図１〜図６を参照して、本願による平面型表示装置の各実施形態について説明する。なお、各実施形態において説明される平面型表示装置本体とは、ＰＤＰ、液晶パネル、ＥＬ(electro luminescence)パネルなどを用いた薄型の映像表示装置をいう。
【００１６】
―第１の実施形態―
図１は第１の実施形態の平面型表示装置の外観を示す正面図、図２は図１の背面図、図３は図１の右側面図、図４は外部入出力端子と接続端子の他の接続形態を示す図である。なお、説明を容易にするために、図１において、正面を前面として説明する。
【００１７】
図１乃至図３に示すように、本実施形態の平面型表示装置１０は、平面型表示装置本体１１と、当該平面型表示装置本体１１を載置するための置き台２０と、を備えている。
【００１８】
平面型表示装置本体１１は、ＰＤＰからなる映像などの情報を表示するための表示パネル１２と、当該表示パネル１２の外周及び背面を覆うケース本体１３と、を備えている。当該ケース本体１３の前面には、当該平面型表示装置本体１１を動作させるための電源入力ポタン１４が備えられており、当該ケース本体１３の背面には、ゲームやカムコーダなどの外部機器を接続するための外部入出力端子１５が、複数、備えられている。
【００１９】
置き台２０は、基台２１と、当該基台２１上に回転可能に設けられ平面型表示装置本体１１を載置するための載置台２２と、を備えている。当該基台２１の背面には、平面型表示装置本体１１の背面に備えられている外部入出力端子１５と電気的に接続するための接続端子２３が備えられている。また、当該基台２１の前面には、当該基台２１の内部で当該接続端子２３と電気的に接続されており、且つ外部機器が接続される外部機器用入出力端子２４が備えられている。当該接続端子２３と外部機器用入出力端子２４は、平面型表示装置本体１１に備えられている外部入出力端子１５と外部機器との接続を中継する中継端子として機能する。
【００２０】
なお、本実施形態では、平面型表示装置本体１１を所定の方向に向けることが可能なように載置台２２が回転可能となっているが、当該平面型表示装置本体１１の表示パネル１２が一定方向に向くように載置台２２が固定式であっても構わない。
【００２１】
また、載置台２２は、平面型表示装置本体１１の底部を支える底部支持体２６と、当該底部支持体２６の背面端部から垂直方向に延びて形成される当該平面型表示装置本体２１の左右背面を支えるための一対の背面支持体２７、２７と、を備えている。
【００２２】
また、図３に示すように、基台２１の前面には、開閉可能な蓋２８を備えている。当該蓋２８は、前記外部機器用入出力端子２４の前方を塞ぐように配置されている。当該蓋２８を開放することによって、前記外部機器用入出力端子２４は外部機器と電気的に接続することができる。また、当該蓋２８は、基台２１の前面から突出することなく平面状に備えられている。この蓋２８を備えることによって、基台２１の前面をすっきりさせることができ、デザイン的にも好ましい。
【００２３】
また、図３に示すように、平面型表示装置本体１１の背面に備えられている外部入出力端子１５と基台２１の背面に備えられている接続端子２３とは、導線ケーブル３０を介して電気的に接続される。
【００２４】
このようにすれば、平面型表示装置本体１１の背面に備えられている外部入出力端子１５と置き台２０の基台２１の前面に備えられている外部機器用入出力端子２４とが電気的に導通するので、基台２１の前面に備えられている外部機器用入出力端子２４を当該平面型表示装置本体１１の入出力端子１５として機能させることができる。すなわち、当該外部機器用入出力端子２４に外部機器を接続することにより、当該平面型表示装置本体１１への入出力が可能となる。
【００２５】
なお、図４に示す平面型表示装置１０Ａのように、平面型表示装置本体１１を置き台２０に載置した際の前記置き台２０に接触する前記平面型表示装置本体１１の面上に板状の外部入出力端子１５として機能する外部入出力端子３１を備え、且つ当該平面型表示装置本体１１に接触する前記置き台２０の面上に板状の接続端子２３として機能する接続端子３２を備え、当該平面型表示装置本体１１を置き台２０に載置した際に当該外部入出力端子３１と接続端子３２とが電気的に導通するようにしても構わない。
【００２６】
また、当該接続端子３２と外部機器用入出力端子２４とは置き台２０の内部で電気的に接続されているものとする。このようにすれば、導線ケーブル３０が不要となるので、部品点数の削減を図れるとともに、平面型表示装置本体１１の前面に外部機器用入出力端子を設ける必要がなくなり、当該平面型表示装置本体１１の前面をすっきりとさせることができるとともに、デザイン的にも好ましい。
【００２７】
次に、平面型表示装置本体を置き台に取り付ける取付方法について説明する。
【００２８】
まず、置き台２０の載置台２２には、ねじ等の固定具によって、平面型表示装置本体１１が取り付けられる。
【００２９】
次いで、導線ケーブル３０によって、平面型表示装置本体１１の背面に備えられている外部入出力端子１５と置き台２０の基台２１の背面に備えられている接続端子２３とが接続され、当該平面型表示装置本体１１が置き台２０に取り付けられる。
【００３０】
なお、本実施形態における接続端子２３は、本願発明の第１の端子として機能するとともに、本実施形態における外部機器用入出力端子２４は、本願発明第２の端子として機能する。
【００３１】
また、外部機器とは、必ずしもゲームやカムコーダなどの映像機器に限られるものではなく、スピーカやＡＶ（audio visual）アンプなど他の音響機器も含まれる。
【００３２】
以上に説明したように、本実施形態における平面型表示装置は、背面に外部機器と接続される外部入出力端子１５を具備する平面型表示装置本体１１と、当該平面型表示装置本体を載置する置き台２０と、を備える平面型表示装置であって、前記置き台２０の基台２１には、前記外部入出力端子１５と電気的に接続される接続端子２３と、当該接続端子２３と電気的に接続されており、且つ外部機器に接続される外部機器用入出力端子２４と、を備えている。すなわち、当該外部機器用入出力端子２４は、平面型表示装置本体１１の背面に備えられている外部入出力端子１５として機能する。また、接続端子２３は基台２１の背面に備えられ、外部機器用入出力端子２４は基台２１の前面に備えられている。
【００３３】
このように、外部入出力端子１５として機能する外部機器用入出力端子２４を置き台２０に備えることにより、平面型表示装置の前面には、必要最小限の電源ボタンとリモコンによる操作のための赤外線センサのみを備えるだけでよく、すっきりとした外観とすることができる。また、当該平面型表示装置の前面に外部機器用入出力端子などの付属部品を取り付ける必要がないので、当該付属部品を取り付けるためのスペースを確保する必要がなくなり、平面型表示装置本体のデザインの自由度を上げられる。
【００３４】
なお、図１乃至図４に示す平面型表示装置本体１１は、前面に外部機器用入出力端子の一部が備えられている平面型表示装置本体、例えば、従来の如く、前面に蓋を設け、その蓋内部に外部機器用入出力端子の一部を設けた平面型表示装置本体であっても適用可能である。このような場合であっても、平面型表示装置本体の背面又は置き台との設置面に設けられた残りの外部機器用入出力端子を平面型表示装置の前面側に設けることができるので、全ての外部機器用入出力端子の外部機器との接続を前面で行え、使用者の利便性が増し、便利である。
【００３５】
―第２の実施形態―
図５は第２の実施形態の平面型表示装置の設置状態を示す側面図、図６は壁に治具を取り付けた状態を示す図である。本実施形態は壁掛け用の平面型表示装置である。なお、説明を容易にするために、図５において、左方向を平面型表示装置の前面として説明する。また、図１乃至図３と同一部分には同一符号を付し、詳細な説明は省略することとする。
【００３６】
図５に示すように、本実施形態の壁掛け用の平面型表示装置１０Ｂは、平面型表示装置本体１１と、当該平面型表示装置本体１１を壁３３に設置するための取付治具３５と、を備えている。
【００３７】
取付治具３５は、図５、及び図６に示すように、壁３３に取り付けられる基台３６と、一方の面が当該基台３６に取り付けられ、他方の面が当該平面型表示装置本体１１に取り付けられる枠体３７と、を備えている。また、当該枠体３７は、基台３６に対して上端部を支点として所定の角度αだけ回動可能に取り付けられている。
【００３８】
また、図６に示すように、左端部の枠体３７の内側側面には、平面型表示装置本体１１の背面に備えられている外部入出力端子１５と電気的に接続するための接続端子３８を備え、当該左端部の枠体３７の外側側面には、外部機器を接続する外部機器用入出力端子３９を備えている。なお、接続端子３８と外部機器用入出力端子３９とは、枠体の内部で電気的に導通している。そして、当該接続端子３８と外部機器用入出力端子３９は、平面型表示装置本体１１に備えられている外部入出力端子１５と外部機器との接続を中継する中継端子として機能する。また、図示しないが、平面型表示装置本体１１の背面に備えられている外部入出力端子１５と枠体３７の内側側面に備えられている接続端子３８とは、接続コードを介して電気的に接続される。
【００３９】
このようにすれば、平面型表示装置本体１１の背面に備えられている外部入出力端子１５と取付治具３５の枠体３７の外側側面に備えられている外部機器用入出力端子３９とが電気的に導通するので、取付治具３５の枠体３７の側面に備えられている外部機器用入出力端子３９を当該平面型表示装置本体１１の入出力端子１５として機能させることができる。すなわち、当該外部機器用入出力端子３９に外部機器を接続することにより、当該平面型表示装置本体１１への入出力が可能となる。
【００４０】
なお、図示しないが、外部機器用入出力端子３９は外部から見えないように開閉可能な蓋を備えるようにし、当該外部機器用入出力端子３９を使用するときのみ、当該蓋を開放するようにしてもよい。また、当該蓋は、枠体３７の側面から突出することなく平面状に備えられている。このようにすれば、枠体３７の側面をすっきりとすることができる。
【００４１】
次に、平面型表示装置本体を取付治具によって壁に取り付ける取付方法について説明する。
【００４２】
まず、ねじ等の固定具によって、取付治具３５（基台３６及び枠体３７）が壁に取り付けられる。
【００４３】
次いで、接続コードなどによって、平面型表示装置本体１１の背面に備えられている外部入出力端子１５と取付治具３５に備えられている接続端子３８とが接続される。
【００４４】
次いで、ねじ等の固定具によって、平面型表示装置本体１１が取付治具３５の枠体３７に取り付けられる。
【００４５】
なお、本実施形態における接続端子３８は、本願発明の第１の端子として機能するとともに、本実施形態における外部機器用入出力端子３９は、本願発明第２の端子として機能する。
【００４６】
また、外部機器とは、必ずしもゲームやカムコーダなどの映像機器に限られるものではなく、スピーカやＡＶ（audio visual）アンプなど他の音響機器も含まれる。
【００４７】
以上に説明したように、本実施形態の壁掛け用の平面型表示装置１０Ｂは、背面に外部機器と接続される外部入出力端子１５を具備する平面型表示装置本体１１と、当該平面型表示装置本体１１を壁に取り付ける取付治具３５と、を備える平面型表示装置であって、前記取付治具３５は、前記外部入出力端子１５と電気的に接続される接続端子３８と、当該接続端子３８と電気的に接続されており、且つ外部機器に接続される外部機器用入出力端子３９と、を備えている。すなわち、当該外部機器用入出力端子３９は、平面型表示装置本体１１の背面に備えられている外部入出力端子１５として機能する。
【００４８】
このように、外部入出力端子１５として機能する外部機器用入出力端子３９を平面型表示装置本体１１の取付治具３５に備えることにより、壁掛け用の平面型表示装置本体１１の前面には、必要最小限の電源ボタンとリモコンによる操作のための赤外線センサのみを備えるだけでよく、すっきりとした外観とすることができる。また、当該平面型表示装置本体１１の前面に外部機器用入出力端子などの付属部品を取り付ける必要がないので、当該付属部品を取り付けるためのスペースを確保する必要がなくなり、平面型表示装置本体１１のデザインの自由度を上げられる。
【００４９】
なお、図５に示す平面型表示装置本体１１は、前面に外部機器用入出力端子の一部が備えられている平面型表示装置本体、例えば、従来の如く、前面に蓋を設け、その蓋内部に外部機器用入出力端子の一部を設けた平面型表示装置本体であっても適用可能である。このような場合であっても、平面型表示装置本体の背面に設けられた残りの外部機器用入出力端子を平面型表示装置の前面側に設けることができるので、全ての外部機器用入出力端子の外部機器との接続を前面で行え、使用者の利便性が増し、便利である。
【００５０】
また、従来であれば、一端、平面型表示装置１０Ｂの壁への取り付けが完了した後に、平面型表示装置本体１１の背面に備えられている外部入出力端子１５に外部機器を取り付けるための端子を接続するのは困難であったが、本実施形態によれば、当該取付治具３５は当該外部入出力端子１５と電気的に導通する外部機器用入出力端子３９を備えているので、容易に外部機器を当該外部機器用入出力端子３９を介して当該平面型表示装置本体１１と接続可能に取り付けることが可能となる。
【００５１】
なお、本実施形態は一形態であって、この形態に限定されるものではなく、例えば、接続端子２３、３８や外部機器用入出力端子２４、３９は、載置台２６や基台３６に備えられていても構わない。また、置き台２０や取付治具３５に音声信号を増幅する増幅器などの電子機器を設け、接続端子２３、３８と外部機器用入出力端子２３、３９との間に当該電子機器を接続するようにしても構わない。
【図面の簡単な説明】
【００５２】
【図１】第１の実施形態の平面型表示装置の外観を示す正面図である。
【図２】図１の平面型表示装置の背面図である。
【図３】図１の平面型表示装置の右側面図である。
【図４】外部入出力端子と接続端子の他の接続形態を示す図である。
【図５】第２の実施形態の平面型表示装置の設置状態を示す側面図である。
【図６】壁に取付治具を取り付けた状態を示す図である。
【符号の説明】
【００５３】
１１  平面型表示装置本体
１５  外部入出力端子
２０  置き台
２３、３８  接続端子
２４、３９  外部機器用入出力端子
３５  取付治具
【図１】
2006227302.tif 000003
【図２】
2006227302.tif 000004
【図３】
2006227302.tif 000005
【図４】
2006227302.tif 000006
【図５】
2006227302.tif 000007
【図６】
2006227302.tif 000008